(57)【要約】【課題】既存の心押台を利用可能であって心押軸に固定するセンタやドリルチャック等の軸線の高さ位置を簡易に補正することのできるアタッチメントの提供。【解決手段】本発明の工作機械の心押軸用アタッチメントは、心押軸の先部外周側に着脱可能に装着する筒状の装着部材と、装着部材に対してネジ止め可能であると共にネジ止めの解除状態においては装着部材の貫通方向に対して直交する第１の直線方向に偏心可能な補正軸部材を備える。装着部材は、円筒状であって、その先端面には雌ネジ穴を備える。補正軸部材は、円筒状の補正軸本体部と、補正軸本体部の外周部から突出するフランジ部を備え、補正軸本体部は、その内周面がセンタを取り付け可能なテーパ面であり、フランジ部は、装着部材の先端面にネジ止めするもので、雄ネジ部材のネジ軸部を通す貫通穴を、雌ネジ穴に対応する位置に備え、貫通穴を第１の直線方向に延長する長孔形状にする。【選択図】      図１
2018103295.tif 000002
【特許請求の範囲】
【請求項１】
心押軸の先部外周側に着脱可能に装着する筒状の装着部材と、装着部材に対してネジ止め可能であると共にネジ止めの解除状態においては装着部材の貫通方向に対して直交する第１の直線方向に偏心可能に設けられる補正軸部材とを備え、
装着部材は、円筒状であって、その後部を心押軸に対する心押軸用装着部とし、その先部を補正軸部材に対する補正軸部材用装着部とし、補正軸部材用装着部の先端面には雄ネジ部材に螺合可能な雌ネジ穴を備え、
補正軸部材は、円筒状の補正軸本体部と、補正軸本体部の外周部から鍔状に突出するフランジ部を備え、
補正軸本体部は、その内周面がセンタを取り付け可能なテーパ面であり、
フランジ部は、装着部材の先端面にネジ止めするものであって、雄ネジ部材のネジ軸部を通す貫通穴を、雌ネジ穴に対応する位置に備え、貫通穴が第１の直線方向に延長する長孔形状であることを特徴とする工作機械の心押軸用アタッチメント。
【請求項２】
貫通穴は、その第１の直線方向の寸法を雄ネジ部材のネジ頭部の直径よりも長くしてあることを特徴とする請求項１記載の工作機械の心押軸用アタッチメント。
【請求項３】
補正軸部材については、円筒状の補正軸本体部は、フランジ部の内周部が連続する胴部と、装着部材の補正軸部材用装着部内に収容される被収容部とを備え、
補正軸部材の被収容部の外周と装着部材の補正軸部材用装着部の内周との間に、第１の直線方向への偏心を可能とするギャップが設けられていることを特徴とする請求項１又は２に記載の工作機械の心押軸用アタッチメント。
【請求項４】
補正軸部材のフランジ部は貫通穴に対応する位置に、雄ネジ部材のネジ頭部が陥没する深さのザグリ穴を備えていることを特徴とする請求項１、２又は３に記載の工作機械の心押軸用アタッチメント。
【請求項５】
装着部材の心押軸用装着部は、心押軸の外周面を包囲する包囲部と、包囲部の先端よりも後側の内周からその内径を小さくするために同心状に突出する内鍔部を備え、
内鍔部の内周面は、心押軸の外周面に対して部分的に接する曲面であると共に、装着部材の軸線を心押軸の軸線に対して所定範囲の角度で傾斜可能とする曲面であることを特徴とする請求項１、２、３又は４に記載の工作機械の心押軸用アタッチメント。
【発明の詳細な説明】
【技術分野】
【０００１】
本発明は、工作機械の心押台を構成する心押軸用アタッチメントに関する。
【背景技術】
【０００２】
工作機械、たとえば旋盤では、多様な長さの工作物に対応できるように、ベッドの上を心押台が滑るように移動可能に構成されている。従って、長年使用すると、そのベッドの表面は、心押台との摩擦によって、磨耗していく。そうすると、心押台の心押軸に固定するセンタの軸線と、主軸台に固定するセンタの軸線との高さがずれてくる。このような状態で工作物を加工すると、加工精度が悪化することになる。なお、心押軸にはセンタだけでなく、ドリル、リーマ、ドリルチャック等を取り付けることもある。
【０００３】
そこで、高さのズレを補正できるような従来の工作機械として、心押台本体の貫通穴に心押軸を挿入すると共に心押軸と貫通穴の間に圧電素子を組み込んだクランプ装置が知られている（特許文献１）。
【先行技術文献】
【特許文献】
【０００４】
【特許文献１】特公平６−８８１６６号公報
【発明の概要】
【発明が解決しようとする課題】
【０００５】
しかしながら、このようなクランプ装置は、大掛かりであり、心押台自体の構造が複雑となる。このような大掛かりな装置ではなく、既存の心押台を利用しながら簡易に高さを補正できるアタッチメントが望まれる。
【０００６】
本発明は、上記実情を考慮したもので、既存の心押台を利用可能であって心押軸に固定するセンタやドリルチャック等の軸線の高さ位置を簡易に補正することのできるアタッチメントの提供を目的とする。
【課題を解決するための手段】
【０００７】
本発明は、心押軸の先部外周側に着脱可能に装着する筒状の装着部材と、装着部材に対してネジ止め可能であると共にネジ止めの解除状態においては装着部材の貫通方向に対して直交する第１の直線方向に偏心可能に設けられる補正軸部材とを備える。装着部材は、円筒状であって、その後部を心押軸に対する心押軸用装着部とし、その先部を補正軸部材に対する補正軸部材用装着部とし、補正軸部材用装着部の先端面には雄ネジ部材に螺合可能な雌ネジ穴を備える。補正軸部材は、円筒状の補正軸本体部と、補正軸本体部の外周部から鍔状に突出するフランジ部を備える。補正軸本体部は、その内周面がセンタを取り付け可能なテーパ面である。フランジ部は、装着部材の先端面にネジ止めするものであって、雄ネジ部材のネジ軸部を通す貫通穴を、雌ネジ穴に対応する位置に備え、貫通穴が第１の直線方向に延長する長孔形状であることを特徴とする。
【０００８】
貫通穴の第１の直線方向の寸法は、どの程度であるかを問わないが、偏心量を目視で確認できるようにするには次のようにすることが望ましい。
すなわち、貫通穴はその第１の直線方向の寸法を雄ネジ部材のネジ頭部の直径よりも長くしてあることである。
【０００９】
補正軸部材は、フランジ部の肉厚が限定されず、例えば、円筒状の補正軸本体部の貫通長とフランジ部の肉厚が同じ、つまり、補正軸本体部の外周において貫通長全域からフランジ部が突出するものであってもよいが、アタッチメントを心押軸に取り付けた場合に、補正軸部材用装着部の内部空間を有効に活用して、センタ等の取付け長を確保するには次のようにすることが望ましい。
すなわち、補正軸部材については、円筒状の補正軸本体部は、フランジ部の内周部が連続する胴部と、装着部材の補正軸部材用装着部内に収容される被収容部とを備えるものとする。そのうえで補正軸部材の被収容部の外周と装着部材の補正軸部材用装着部の内周との間に、第１の直線方向への偏心を可能とするギャップが設けられるようにすることである。
【００１０】
アタッチメントは、フランジ部から雄ネジ部材のネジ頭部が突出する状態で補正軸部材と装着部材とがネジ止めされるものであっても良いが、突出部分ができるだけ少ないほうが安全に加工できる。それには次のようにすることが望ましい。
すなわち、補正軸部材のフランジ部は貫通穴に対応する位置に、雄ネジ部材のネジ頭部が陥没する深さのザグリ穴を備えていることである。
【００１１】
またアタッチメントは、装着部材の軸線を心押軸の軸線に対して平行な状態を保ったまま補正できるものに限らない。
たとえば装着部材の心押軸用装着部は、心押軸の外周を包囲する包囲部と、包囲部の先端よりも後側の内周からその内径を小さくするために同心状に突出する内鍔部を備え、内鍔部の内周面は、心押軸の外周面に対して部分的に接する曲面であると共に、装着部材の軸線を心押軸の軸線に対して所定範囲の角度で傾斜可能とする曲面であるものであっても良い。
【発明の効果】
【００１２】
本発明のアタッチメントによれば、補正軸部材の貫通穴の長孔の延長方向（第１の直線方向）を上下方向に沿うようにして心押軸の先部外周に装着部材を取り付け、貫通穴に沿わせて補正軸部材を装着部材に対して移動させ、ネジ止めすることによって、センタが取付けられる補正軸部材の軸線を所望の高さに補正することができる。したがってこのような簡便な操作によって、ベッドの表面が摩耗した既存の心押台を有効活用することができる。なお既存の心押台だけでなく新品の心押台であっても、補正軸部材の軸線を所望の高さに補正することにより、工作機械の心押台側の軸線と主軸台側の軸線とを異なる高さとした状態で工作物を加工することもできる。
【００１３】
また貫通穴の第１の直線方向の寸法を雄ネジ部材のネジ頭部の直径よりも長くしてあれば、装着部材に対する補正軸部材の偏心量を目視で確認できる。
【００１４】
またアタッチメントは、補正軸本体部が、フランジ部の内周部が連続する胴部と、装着部材の補正軸部材用装着部内に収容される被収容部とを備えるものであれば、装着部材の補正軸部材用装着部の中で補正軸部材の被収容部がギャップを利用して移動可能であることから、補正軸部材の軸線を所望の高さに補正する機能を保持しつつ、センタ等の取付け長が十分に確保できる。
【００１５】
またアタッチメントは、補正軸部材のフランジ部が貫通穴に対応する位置にザグリ穴を備えるものであれば、雄ネジ部材のネジ頭部がフランジ部のザグリ穴に嵌り込んで陥没することから、フランジ部の表面からネジ頭部が突出しておらず、安全に加工することができる。
【００１６】
またアタッチメントは、装着部材の心押軸用装着部が包囲部と内鍔部を備え、内鍔部の内周面を所定の曲面としたものであれば、装着部材の軸線を心押軸の軸線に対して所定範囲の角度で傾斜させて、工作物を加工することもできる。
【図面の簡単な説明】
【００１７】
【図１】本発明の第一実施形態の心押軸用アタッチメントを示す要部拡大縦断面図である。
【図２】（イ）（ロ）図は、図１のＡ−Ａ線断面図、Ｂ−Ｂ線断面図である。
【図３】（イ）（ロ）図は、図２の（イ）（ロ）図に対応する補正前の心押軸用アタッチメントを示す断面図である。
【図４】（イ）（ロ）図は、本発明の心押軸用アタッチメントを示す分解斜視図、組立図である。
【図５】本発明の第二実施形態の心押軸用アタッチメントを示す要部拡大縦断面図である。
【図６】本発明の第三実施形態の心押軸用アタッチメントを示す平面図である。
【図７】（イ）（ロ）図は、本発明の第四実施形態の心押軸用アタッチメントを示す平面図、分解断面図である。
【図８】旋盤の基本的な構成を示す説明図である。
【発明を実施するための形態】
【００１８】
図８は、旋盤１０の基本的な構成を示している。旋盤１０は、ベッド１１の片側に主軸台１２を載せ、ベッド１１の反対側に心押台１３を載せてある。心押台１３は、ベッド１１の上で主軸台１２に向かって一直線に往復可能に設けられている。なお、図示しないが、往復台がベッド１１上には主軸台１２と心押台１３との間を一直線に往復可能に設けられている。主軸台１２の主軸（図示省略）の端にはチャック１２ａが取り付けられている。チャック１２ａに工作物Ｗ（図示の例では丸棒）の一端部を保持させ、工作物Ｗの長さに合わせて心押台１３を前進させ、工作物Ｗの他端を心押台１３のセンタ１８で支えることによって、工作物Ｗが保持される。そして、主軸によって工作物Ｗを回転させながら所望の加工が施され、加工後には心押台１３を後退させ、工作物Ｗが取り外される。
【００１９】
図１は、心押台１３の基本的な構成及び本発明のアタッチメント２０を示している。また、図２は、図１のＡ−Ａ線断面図、Ｂ−Ｂ線断面図を示している。心押台１３は、主軸台１２に対してベッド１１上の心押台本体１４が一直線に往復可能に設けられ、主軸と対向する位置において心押台本体１４には挿入穴１５が形成されており、挿入穴１５には心押軸１６が取り付けられている。心押軸１６の先部は、心押台本体１４よりも主軸台１２側に突出しており、この突出する先端面には、センタ１８やドリルチャック等を保持可能な保持穴１７が形成されている。この保持穴１７の中心線である軸線１７ｊは、旋盤１０の新品時には、主軸の軸線１２ｊと、同一直線上にあるが、心押台１３の進退を繰り返すうちにベッド１１が磨耗し、主軸の中心線である軸線１２ｊよりも低くなってくる。この場合に、心押軸１６の先部（突出部分）に本発明のアタッチメント２０が着脱可能に取り付けられる。
【００２０】
本発明の第一実施形態のアタッチメント２０は図１，２に示すように、心押軸１６の先部外周側に着脱可能に装着する装着部材３０と、装着部材３０に対してネジ止め可能であってネジ止めの解除状態においては上下方向に偏心可能に設けられる補正軸部材４０とを備えている。
【００２１】
装着部材３０は、円筒状であって、その内径を後部において先部よりも大径に且つ心押軸１６の外径よりも僅かに大きく形成してある。従って、装着部材３０の内面には、先部と後部との境目に段部３１が付いている。装着部材３０の後部は心押軸１６に対する装着部（心押軸用装着部３２）となる。装着部材３０の先部は、補正軸部材４０に対する装着部（補正軸部材用装着部３３）となり、その先端面には雄ネジ部材５０に螺合可能な雌ネジ穴３４が、円周方向に沿って等間隔あけて（９０度ピッチで）４個形成されている。
【００２２】
補正軸部材４０は、円筒状の補正軸本体部４１と、補正軸本体部４１の外周部からその円周方向全周に亘って鍔状に突出するフランジ部４６を備えている。
【００２３】
補正軸本体部４１は、その内面がセンタ１８、ドリルチャック等を取り付け可能なテーパ面４２であり、心押軸１６と同様の傾斜角度で後方に向かって内径が小さくなっている。また補正軸本体部４１の先部は、フランジ部４６の内周部に繋がる胴部４３となる。また補正軸本体部４１の後部は、装着部材３０の補正軸部材用装着部３３内に収容される被収容部４４となる。被収容部４４の外径は補正軸部材用装着部３３の内径よりも小さく形成され、両者の間にはギャップＧ１が形成される。
【００２４】
フランジ部４６は、装着部材３０の先端面に固定されるものであって、雄ネジ部材５０のネジ軸部５１を通すための貫通穴４７であって補正軸本体部４１の貫通方向と平行な貫通穴４７を、円周方向に沿って等間隔あけて４個備えている。各貫通穴４７は、補正軸本体部４１の貫通方向に直交する第１の直線方向に延長する長孔形状であって、雌ネジ穴３４に対応する位置に設けられている。したがって４つの貫通穴４７，４７,…は平行である。また各貫通穴４７は、その第１の直線方向の寸法を雄ネジ部材５０のネジ頭部５２の直径よりも長くしてある。
またフランジ部４６は、貫通穴４７のうち被収容部４４とは反対側の部分を、雄ネジ部材５０のネジ頭部５２が陥没する深さのザグリ穴４８とし、ザグリ穴４８が貫通穴４７と平行な長孔形状に形成されている。ちなみに４つのうち２つのザグリ穴４８，４８は互いの長孔の延長方向（第１の直線方向）が同一直線上に位置する状態に形成されており、フランジ部４６の外周よりも半径方向外側に向かって貫通している。したがってこの２つのザグリ穴４８，４８は、アタッチメント２０の上下方向を定めるときの目印になる。
【００２５】
図３は、本発明の第一実施形態のアタッチメント２０を心押軸１６に取り付けた直後の補正前の状態を示しており、より詳しくは補正軸部材４０に取り付けるセンタ１８の軸線１８ｊと、装着部材３０を同心円状に取り付ける心押軸１６の保持穴１７の軸線１７ｊを一致させた場合の状態を示すもので、補正後の状態を示す図２の（イ）（ロ）図に対応させてある。また、図４も、同じ場合のアタッチメント２０を分解図、組立図として示してある。ちなみにこの場合、貫通穴４７の長手方向である第１の直線方向が上下方向を向くようにして、アタッチメント２０を心押軸１６に取り付ける。またこの場合、補正軸本体部４１の被収容部４４と装着部材３０の補正軸部材用装着部３３との間には、ギャップＧ１が円周方向の全周に亘って均等に形成されている。雄ネジ部材５０を緩く締めてあるときには、このギャップＧ１によって補正軸部材４０は装着部材３０に対して偏心可能となる。また、装着部材３０の雌ネジ穴３４に嵌り込んだネジ軸部５１が、フランジ部４６の貫通穴４７における長手方向（上下方向）の中間位置に位置する。そして、ネジ軸部５１に対して貫通穴４７の上下に、それぞれ先のギャップＧ１と同じ長さの隙間Ｇ２が形成される。また雌ネジ穴３４に螺合させた雄ネジ部材５０のネジ軸部５１が貫通穴４７を貫通すると共に、長孔形状である貫通穴４７がネジ軸部５１に対して上下に延長している状態になり、貫通穴４７の長手方向である上下方向（第１の直線方向）に沿って補正軸部材４０が移動可能となる。従って補正軸部材４０が装着部材３０に対して上下方向に偏心可能に設けられている。
【００２６】
上述した本発明のアタッチメント２０は、ベッド１１の上面が摩耗によって新品時に比べて平らに削れて低くなり、それによって主軸台１２の主軸の軸線１２ｊに対して心押台１３の保持穴１７の軸線１７ｊが低くなった場合には、以下の（１）〜（９）のようにして、主軸の軸線１２ｊに心押台１３のセンタ１８の軸線１８ｊを補正によって一致させて、工作物Ｗを加工する。
（１）まず、アタッチメント２０は、雄ネジ部材５０を緩く締めて、補正軸部材４０が装着部材３０に対して緩くネジ止めされた状態とする。従って、装着部材３０の雌ネジ穴３４から突出する雄ネジ部材５０のネジ軸部５１が、貫通穴４７を貫通する状態となり、ネジ軸部５１に対して補正軸部材４０が貫通穴４７の長手方向に沿って移動可能な状態となる。
（２）装着部材３０を心押軸１６の先部に挿入して嵌め込む。装着部材３０の内径は、心押軸１６の先部の外径よりも僅かに大きい程度なので、嵌め込みには手の平で強く押し込むようにすると、装着部材３０が心押軸１６に対して擦れながら嵌まり込んでいき、装着部材３０の段部３１が心押軸１６の先端に当たる。なお、嵌め込むときには、貫通穴４７の長手方向が上下方向となるように配慮する。これによって、装着部材３０が心押軸１６に対して着脱可能に装着され、補正軸部材４０が装着部材３０に対して上下方向に偏心可能になる。
（３）補正軸部材４０にセンタ１８の後部を挿入する。
（４）工作物Ｗが丸棒である場合、丸棒の一端部を主軸台１２のチャック１２ａに挟む。
（５）丸棒の他端面の中央にセンタ１８がくるように、補正軸部材４０を上方に移動させて位置を合わせてから、心押台１３を前進させ、丸棒の他端面にセンタ１８を押し当てる。これによって、主軸の軸線１２ｊに心押台１３のセンタ１８の軸線１８ｊが一致する。また、センタ１８を押し当てることの反力によって、補正軸部材４０が装着部材３０に強く押し当てられ、装着部材３０の段部３１が心押軸１６の先端に強く押し当てられる。よって、補正軸部材４０及び装着部材３０が心押軸１６に対して固定された状態となり、補正軸部材４０と装着部材３０との位置関係が仮決めされた状態になる。
（６）仮決めされた状態のうちに、雄ネジ部材５０を強固に締め付けて補正軸部材４０と装着部材３０を強固に一体化する。これによって、アタッチメント２０は、心押台１３と一体化する。
（７）正確さを期する場合には、ダイヤルゲージ（図示省略）を用いる。旋盤１０の一箇所にダイヤルゲージを固定し、ダイヤルゲージの測定子を丸棒に接触させて数値を読む。主軸によって丸棒を回転させ、各回転角における数値を読んで、主軸の軸線１２ｊと、センタ１８の軸線１８ｊとが一致している（許容範囲にあること）ことを確認する。以上により、丸棒の取り付けが完了する。
（８）主軸を回転させて、丸棒に所定の加工を施す。
（９）アタッチメント２０を外す場合には、心押台１３を後進させ、装着部材３０の後端面を前方に向かって叩いて心押軸１６から装着部材３０を抜き取る。
【００２７】
また、上述した本発明のアタッチメント２０は、主軸台１２の主軸の軸線１２ｊと、心押台１３のセンタ１８の軸線１８ｊとを大きく偏心させて、丸棒を加工することも可能である。このような場合には、上記手順（１）〜（９）のうち、（５）と（７）を変更する。
（５）丸棒の他端面の中央から所定量偏心した箇所にセンタ１８がくるように、補正軸部材４０を上方又は下方に移動させて位置を合わせてから、心押台１３を前進させ、丸棒の他端面にセンタ１８を押し当てる。
（７）正確さを期する場合には、ダイヤルゲージを用いる。旋盤１０の一箇所にダイヤルゲージを固定し、ダイヤルゲージの測定子を丸棒に接触させて数値を読む。丸棒を回転させ、各回転角における数値を読んで、主軸台１２の軸線１２ｊと、心押台１３の軸線１７ｊとの偏心量が所望値である（許容範囲にあること）ことを確認する。また長孔形状である貫通穴４７の第１の直線方向（長手方向）の寸法は、雄ネジ部材５０のネジ頭部５２の直径よりも長く、それゆえ貫通穴４７の全部がネジ頭部５２によって隠れることとはない。従って貫通穴４７とネジ頭部５２の関係を目視することにより、装着部材３０に対する補正軸部材４０の偏心量を確認できる。
【００２８】
本発明の第二実施形態のアタッチメント２０は図５に示すように、装着部材３０の心押軸用装着部３２を、第一実施形態のアタッチメント２０と相違させたものである。より詳しくは以下の通りである。
【００２９】
心押軸用装着部３２は、心押軸１６の外周面を半径方向に間隔をあけて包囲する包囲部３２ａと、包囲部３２ａの先端よりも後側（図示の例では後端部）の内周からその内径を小さくするために同心状に突出する内鍔部３２ｂを備える。
【００３０】
内鍔部３２ｂは、前後方向から視て円環状であって、その内周面３２ｃを心押軸１６の外周面に対して部分的に接する曲面であると共に、装着部材３０の軸線（センタ１８の軸線１８ｊ）を心押軸１６の軸線１７ｊに対して所定範囲の角度θで傾斜可能とする曲面としてある。具体的には、装着部材３０をその軸線を通過する平面で切断したときに、装着部材３０の内鍔部３２ｂの断面形状は、その内周面３２ｃが半径方向内側に向かって膨らむ円弧状であって、貫通方向の中間が最も半径方向内側に膨らむ円弧状となっている。
【００３１】
包囲部３２ａは、内鍔部３２ｂよりも先側（補正軸部材用装着部３３側）においてその周方向に間隔をあけて雌ネジ孔３２ｄを備えている。この雌ネジ孔３２ｄは、雄ネジ部材５５を螺合させるもので、包囲部３２ａの半径方向に貫通している。
【００３２】
上記した第二実施形態のアタッチメント２０を心押軸１６に装着すると、内鍔部３２ｂの内周面３２ｃが心押軸１６の外周面に部分的に接する。また包囲部３２ａの内周面３２ｃと心押軸１６の外周面との間に間隔があいているので、その間隔を利用して心押軸１６の軸線１７ｊに対して装着部材３２の軸線（センタ１８の軸線１８ｊ）が所定範囲の角度θで傾斜可能となる。そして、包囲部３２ａの雌ネジ孔３２ｄに対して雄ネジ部材５５を強固に締め付けることによって、雄ネジ部材５５の先端を心押軸１６の外周面に押し付け、その角度θを固定する。これによって所望の角度θでアタッチメント２０を傾斜させた状態にでき、その状態のアタッチメント２０に装着したセンタ１８を工作物の他端面に押し当てて、工作物を保持し加工することができる。
またベッド１１の上面が摩耗によって新品時に比べていびつに削れてその削れた部分の左右の高さが異なるような状態で低くなり、それによって心押軸１６も左右の高さが異なるような状態で低くなった場合に、第二実施形態のアタッチメント２０を所望の角度θで傾斜させることによって、その左右の高さのずれを補正することもできる。
【００３３】
本発明の第三実施形態のアタッチメント２０は図６に示すように、装着部材３０の心押軸用装着部３２に位置決め用の目印３６を設けたことにおいて、第一実施形態のアタッチメント２０と相違させたものである。より詳しくは以下の通りである。
心押軸用装着部３２はその表面側の後端部に目印３６を備えている。この目印３６は直線であり、心押軸用装置着部３２の貫通方向と平行に延長している。またこの目印３６は、貫通穴４７の長手方向である第１の直線方向が上下方向を向いている場合に、表面を円筒面とする心押軸用装着部３２の最も高い位置か、最も低い位置に配置される。図６では、目印３６は最も高い位置に配置されている。またこの目印３６に一致させる別の目印１６ａを、旋盤１０の心押軸１６の表面（円筒面）の頂部に設けることにより、アタッチメント２０の取付位置の調整を容易にすることができる。ちなみに心押軸１６に形成された目印１６ａも直線であり、保持穴１７の軸線１７ｊと平行に延長している。
【００３４】
本発明の第四実施形態のアタッチメント２０は図７に示すように、装着部材３０と補正軸部材４０の他に、装着部材３０に対する補正軸部材４０の上下方向の偏心量を調整する偏心量調整機構６０を備えるものである。
【００３５】
偏心量調整機構６０は、装着部材３０（補正軸部材用装着部３３）の先端面と補正軸部材４０のフランジ部４６の後端面とが重なり合う部分（面接触する部分）に設けられる。偏心量調整機構６０は、フランジ部４６の後端面と装着部材３０の先端面に亘って螺合される調整ネジ６２と、調整ネジ６２に対してフランジ部４６と装着部材３０のうち一方において螺合すると共に他方において空転させるネジ穴６４と、調整ネジ６２をネジ穴６４から脱出不能に押さえると共に補正軸部材４０に固定されるストッパ６６とを備える。
【００３６】
調整ネジ６２は、六角穴付き止めネジであって、円筒状の軸部６２ａの側面に雄ネジ部６２ｂが形成され、軸部６２ａの延長方向の一端面に工具差込用の穴６２ｃが形成されている。
【００３７】
ネジ穴６４は、調整ネジ６２の円周方向の一部に螺合するネジ付き穴６４ａと、調整ネジ６２の円周方向の他部を収容すると共に調整ネジ６２を空転させる空転穴６４ｂとを備えるものである。ちなみにネジ穴６４は、雄ネジ部材５０用のフランジ部４６の貫通穴４７と装着部材３０の雌ネジ穴３４とは円周方向に間隔をあけた位置に形成されている。
ネジ付き穴６４ａは、図示の例ではフランジ部４６の外周面において調整ネジ６２の円周方向の約１／３に螺合する雌ネジ部が形成された穴であって、後端面側に向かって開口している。ネジ付き穴６４ａは、フランジ部４６の外周面から補正軸本体部４１の外周面に達するまで延長しており、その延長方向は長孔である貫通穴４７の延長方向と平行になっている。
空転穴６４ｂは、図示の例では、装着部材３０の外周面において調整ネジ６２の円周方向の約２／３を収容する穴であり、長孔である貫通穴４７の延長方向を深さ方向とする穴であり、雌ネジ部が付いていない穴である。空転穴６４ｂは装着部材３０の外周面から貫通することなく（内周面よりも半径方向外側の位置まで）形成されると共に、先端面側に向かって開口している。
言い換えれば、円筒面の円周方向に関して半分以上と半分未満、より詳しく言えば２／３と１／３となるように、円筒面の穴をその穴の貫通方向に切断したときに、円筒面の２／３に切断された部分を空転穴６４ｂとし、円筒面の１／３に切断された分をネジ付き穴６４ａとする。
【００３８】
ストッパ６６は、板であって、厚み方向から視て、板の一部分を調整ネジ６２の頭部を押さえると共に工具を差し込む押さえ部６８とし、板の別の部分を装着部材３０に固定する基板部７０とする。
基板部７０には板の厚み方向に貫通穴７０ａが形成されており、この貫通穴７０ａを経て固定用のネジ７２を螺合させる雌ネジ穴３０ａが装着部材３０の外周面（上面）に形成されている。
押さえ部６８は、板の厚み方向から視て、Ｕ字状となっている。言い換えれば押さえ部６８は、厚み方向から視て、調整ネジ６２を押さえる一対の押さえ腕部６９，６９を基板部７０から対向する状態で突出したものである。そして一対の押さえ腕部６９，６９の間が工具を差し込む貫通穴として機能する。
【００３９】
上記した偏心量調整機構６０は組み立てる場合には、対向する空転穴６４ｂとネジ付き穴６４ａとからなるネジ穴６４の内部に調整ネジ６２を収容し、調整ネジ６２の上にストッパ６６を置いて、ストッパ６６を固定用のネジ７２で装着部材３０に固定すればよい。
また上記した偏心量調整機構６０は偏心量を調整する場合は、雄ネジ部材５０を緩く締めてある状態で調整ネジ６２を一方向、または他方向に回せばよい。たとえば調整ネジ６２を一方向に回せば、ネジ穴６４の空転穴６４ｂの内部で調整ネジ６２が空転しながらネジ付き穴６４ａに螺合して、装着部材３０に対して下方向に補正軸部材４０が移動し、その逆に調整ネジ６２を他方向に回せば、装着部材３０に対して上方向に補正軸部材４０が移動し、偏心量が調整できる。
【００４０】
なお、上述した本発明のアタッチメント２０は、センタ１８だけでなく、ドリルチャックを取り付けても良い。この場合、ドリルチャックにドリルを取り付けて、所望の穴あけ加工をすることができる。
【００４１】
本発明は上記実施形態に限定されるものではない。例えば、雌ネジ穴３４は、４個に限らず、複数設けてあれば良い。また、装着部材３０は心押軸１６に対して単に嵌め込んで取り付ける構造に限らず、心押軸用装着部３２の外周面に心押軸１６に向かって貫通する雌ネジ穴を形成し、この雌ネジ穴に装着部材３０の外側から位置決めネジをねじ込むことによって、装着部材３０と心押軸１６との取り付けを強固にする等しても良い。
【符号の説明】
【００４２】
１０旋盤
１１ベッド
１２主軸台
１２ａチャック
１２ｊ軸線
１３心押台
１４心押台本体
１５挿入穴
１６心押軸
１６ａ目印
１７保持穴
１７ｊ軸線
１８センタ
１８ｊ軸線
２０アタッチメント
３０装着部材
３０ａ雌ネジ穴
３１段部
３２心押軸用装着部
３２ａ包囲部
３２ｂ内鍔部
３２ｃ内周面
３２ｄ雌ネジ孔
３３補正軸部材用装着部
３４雌ネジ穴
３６目印
４０補正軸部材
４１補正軸本体部
４２テーパ面
４３胴部
４４被収容部
４６フランジ部
４７貫通穴
４８ザグリ穴
５０雄ネジ部材
５１ネジ軸部
５２ネジ頭部
５５雄ネジ部材
６０偏心量調整機構
６２調整ネジ
６２ａ軸部
６２ｂ雄ネジ部
６２ｃ穴
６４ネジ穴
６４ａネジ付き穴
６４ｂ空転穴
６６ストッパ
６８押さえ部
６９押さえ腕部
７０基板部
７０ａ貫通穴
７２固定用のネジ
Ｗ工作物
Ｇ１ギャップ
Ｇ２隙間
【図１】
2018103295.tif 000003
【図２】
2018103295.tif 000004
【図３】
2018103295.tif 000005
【図４】
2018103295.tif 000006
【図５】
2018103295.tif 000007
【図６】
2018103295.tif 000008
【図７】
2018103295.tif 000009
【図８】
2018103295.tif 000010